(57)【特許請求の範囲】
【請求項１】
少なくとも一面が開口した収納部を有し、該収納部の開口外縁に位置して表面が鏡面状であるハンドレールを備えたショーケースであって、
前記ハンドレールの上面は、前記ショーケースの内側に向かって下方に傾斜した傾斜面を備えたことを特徴とするショーケース。
【請求項２】
前記ハンドレールの上面は、前記傾斜面及び前記ショーケースの内側に向かって下方に傾斜していない他の面を含むものであり、
該他の面は、前記ショーケースの内外方向に沿う面幅が２ｃｍ以下であることを特徴とする請求項１記載のショーケース。
【請求項３】
前記ハンドレールの上面は、前記傾斜面のみからなることを特徴とする請求項１記載のショーケース。
【請求項４】
前記傾斜面は、平面形状であることを特徴とする請求項１乃至３のいずれか記載のショーケース。
【請求項５】
前記傾斜面は、水平に対して３°〜１５°の角度で前記ショーケースの内側に向かって下方に傾斜していることを特徴とする請求項１乃至４のいずれか記載のショーケース。
【請求項６】
前記傾斜面は、接線と水平面との角度が前記ショーケース内側に向かって徐々に増加する湾曲形状であることを特徴とする請求項１乃至３のいずれか記載のショーケース。
【発明の詳細な説明】
【技術分野】
【０００１】
本発明は、ショーケースに係り、詳しくはショーケース下部にあるハンドレールの構成に関する。
【背景技術】
【０００２】
一般に、スーパーマーケットやコンビニエンスストア等の店舗に設置されるショーケースにおいて、商品が陳列される収納部の開口下縁をなすハンドレールには強度や耐久性に優れたステンレス鋼が主に用いられている。そして、当該ハンドレールの表面は鏡面状に加工され、これによりゴミが付着しにくく、清掃しやすくなっている。
また、一般的に、ハンドレールには商品名や価格等を表示する表示具（所謂ポップ）が取り付けられ、当該表示具が顧客に視認しやすいように当該ハンドレールは外側に向かって下方に傾斜させた形状をなしている（特許文献１参照）。
【特許文献１】特開平１０−１７０１２０号公報
【発明の開示】
【発明が解決しようとする課題】
【０００３】
しかしながら、例えば特許文献１のようにハンドレールの大部分が外側に向かって下方に傾斜した面をなしている構成であると、ショーケース外側から見てハンドレールにショーケース外側が映り込み、例えば女性客が当該ショーケースに近づいた際には当該女性客のスカート内部が映り込む等、顧客に不快感を与えるおそれがある。
この対策としては、ハンドレールの幅を細くしたり、ハンドレールの表面につや消しや意匠を施すことで映り込みを防止する等の手段が考えられる。
【０００４】
しかし、ハンドレールの幅を細くすると当該ハンドレールの強度が低下する上、設計やデザイン、表示具の取り付け等に制限が生じ、好ましくない。また、店員や顧客が収納部への商品の陳列または商品の取り出し等の作業を行う際、当該ハンドレール上に荷物を置くことができると便利であるが、ハンドレールの幅を細くすると置いた荷物が不安定となるため好ましくない。このようにハンドレールの幅を細くすると、当該ハンドレールの機能性が低下するという問題がある。
【０００５】
また、ハンドレール表面につや消しや意匠を施す場合、設計やデザインに制限が生じる上、加工コストが増加するという問題がある。さらに、鏡面状のハンドレールに比べ、汚れが付きやすくなり、清掃も行い難く、衛生面が悪化するという問題が生じる。
本発明はこのような問題を解決するためになされたもので、その目的とするところは、機能性や衛生面を確保しつつ、ショーケース外側から見てハンドレール上面におけるショーケース外側の映り込みを良好に防止することができるショーケースを提供することにある。
【課題を解決するための手段】
【０００６】
上記した目的を達成するために、請求項１のショーケースでは、少なくとも一面が開口した収納部を有し、該収納部の開口外縁に位置して表面が鏡面状であるハンドレールを備えたショーケースであって、前記ハンドレールの上面は、前記ショーケースの内側に向かって下方に傾斜した傾斜面を備えたことを特徴としている。
請求項２のショーケースでは、請求項１において、前記ハンドレールの上面は、前記傾斜面及び前記ショーケースの内側に向かって下方に傾斜していない他の面を含むものであり、該他の面は、前記ショーケースの内外方向の幅が２ｃｍ以下であることを特徴としている。
【０００７】
請求項３のショーケースでは、請求項１において、前記ハンドレールの上面は、前記傾斜面のみからなることを特徴としている。
請求項４のショーケースでは、請求項１乃至３のいずれかにおいて、前記傾斜面は、平面形状であることを特徴としている。
請求項５のショーケースでは、請求項１乃至４のいずれかにおいて、前記傾斜面は、水平に対して３°〜１５°の角度で前記ショーケースの内側に向かって下方に傾斜していることを特徴としている。
【０００８】
請求項６のショーケースでは、請求項１乃至３のいずれかにおいて、前記傾斜面は、接線と水平面との角度が前記ショーケース内側に向かって徐々に増加する湾曲形状であることを特徴としている。
【発明の効果】
【０００９】
上記手段を用いる本発明の請求項１のショーケースによれば、収納部の開口外縁に位置し鏡面状のハンドレールの上面に、ショーケースの内側に向かって下方に傾斜した傾斜面を備える。
つまり、従来は表示具を顧客に視認しやすくするため等の理由でショーケース外側に傾斜させた構成とするのが一般的であったのに対して、ハンドレールの上面をショーケースの内側に傾斜する傾斜面を備えた形状とする。これにより、ハンドレールが鏡面状であってもショーケース外側から見た場合ショーケース内側のものが映り込むこととなり、ショーケース外側から見てショーケース外側の映り込みを防止することができる。したがって、女性客がショーケースに近づいた際にスカート内部が映り込むことを防止することができる。
【００１０】
このように、当該ショーケースにおけるハンドレールは、鏡面状による機能性及び衛生面を確保しつつ、ショーケース外側から見たときのショーケース外側の映り込みを防止することができる。
請求項２のショーケースによれば、ハンドレールの上面を傾斜面及びショーケース内側に向かって傾斜していない他の面を含むものとし、当該他の面の内外方向幅を２ｃｍ以下とする。
【００１１】
つまり、ハンドレールの上面は、ショーケース内側に傾斜した傾斜面と、水平または外側に傾斜した他の面を含むものであるが、当該他の面の幅を２ｃｍ以下という狭い幅にすることで、ショーケース外側から当該他の面を見たとしても顧客は何が映り込んでいるかを正確には認識することはできず、実質的な映り込みは防止することができる。
これにより、ハンドレール上面が傾斜面及び他の面からなる場合にも、ショーケース外側から見てハンドレール上面におけるショーケース外側の映り込みを良好に防止することができる。
【００１２】
請求項３のショーケースによれば、ハンドレールの上面を傾斜面のみとする。
これにより、ショーケース外側から見てハンドレール上面におけるショーケース外側の映り込みを確実に防止することができる。
請求項４のショーケースによれば、傾斜面を平面形状とすることで、ショーケース外側から見たショーケース外側の映り込みを防止しつつ当該ハンドレールの形状を簡素なものとし加工コストを抑制させることができる。また、当該ハンドレールは内側に僅かに傾斜させた形状であることから、当該上面に沿って表示具を取り付けた場合にも、ショーケース外側から十分に当該表示具を視認することができる。
【００１３】
請求項５のショーケースによれば、傾斜面を水平面に対して３°〜１５°の角度で下方に傾斜させる。
つまり、傾斜面の傾斜角度を３°〜１５°とすることで、ショーケース外側から見たショーケース外側の映り込みを十分に防止しつつ、当該傾斜面に荷物等を置いた場合にも当該荷物等が滑り落ちることなく保持することができる。
【００１４】
また、傾斜角度が３°〜１５°であれば、当該傾斜面に沿って表示具を取り付けた場合に、ショーケースの近くにいる顧客からは当該表示具を十分に視認できる一方、ショーケースから離れた顧客からは当該表示具は見えず、当該ハンドレールの見栄えを向上させることができる。
請求項６のショーケースによれば、ハンドレールの上面を内側且つ下方に向かって接線が徐々に傾斜していく湾曲形状とすることで、ショーケース外側から見たショーケース外側の映り込みを防止しつつ当該ハンドレールの形状を簡素なものとし加工コストを抑制させることができる。また、当該ハンドレールは徐々に湾曲していく形状であることから、当該上面に沿って表示具を取り付けた場合にも、ショーケース外側から十分に当該表示具を視認することができる。
【発明を実施するための最良の形態】
【００１５】
以下、本発明の実施の形態を図面に基づき説明する。
図１及び２を参照すると、図１には本発明に係るショーケースの縦断面図が示されており、図２には図１の要部拡大図が示されている。
ショーケース１は、機械室２の上部にケース本体４が載置されており、当該ケース本体４の内側において前面の開口した収納部６が形成されている。そして、当該収納部６内には商品棚８が上下に複数配設されている。
【００１６】
ケース本体４は、前方下部に形成されている前壁部１０から底壁部１２、背壁部１４、天井壁部１６に亘って断熱材により形成された断面略コの字状をなしている。なお図示しないが、当該ケース本体２は幅方向両側に同じく断熱材により形成された側壁部を有している。
収納部６は、ケース本体４の内側において底面部２０、背面部２２、天井面部２４からなる断面略コの字状をなしている。
【００１７】
そして、当該ショーケース１は、ケース本体４と収納部６との間に空気流路３０が形成されている。
詳しくは、ケース本体４の前壁部１０と収納部６の底面部２０前端との間に上方に開口した吸入口部３２が形成されており、ケース本体４の底壁部１２と収納部６の底面部２０との間に当該吸入口部３２と連通する下部通風路３４が形成されている。
【００１８】
また、ケース本体４の背壁部１４と収納部６の背面部２２との間には上記下部通風路３４と連通する背面通風路３６が形成されている。
なお、下部通風路３４の後部から背面通風路３６の下部に亘ってダクトケース３８が設けられている。当該ダクトケース３８は、空気流入口部分に空気を下流側へと送風する送風機４０が設けられ、背面通風路３６部分に空気流を冷却する蒸発器４２が設けられている。
【００１９】
また、ケース本体４の天井壁部１６と収納部６の天井面部２４との間には上記背面通風路３６と連通する上部通風路４４が形成されており、当該上部通風路４４の前端には下方に開口した吹出口部４６が形成されている。
このように空気流路３０は、吸入口部３２から吸入された空気流が、下部通風路３４、背面通風路３６、上部通風路４４を経て吹出口部４６から吹き出されるよう構成されている。
【００２０】
また、ショーケース１の前方上部、即ちケース本体４の天井壁部１６前端部には収納部６を照明する照明ユニット５０が設けられている。
収納部６の商品棚８は上下に４段配設されており、それぞれ収納部６の背面部２２に係止されている。また、当該収納部６の後方上部には、最上段の商品棚８に陳列された商品を映し込むミラー５２が設けられている。
【００２１】
当該ショーケース１の前方下部においては、前壁部１０及び機械室２の前方を覆うように前板５４が設けられている。
さらに前壁部１０及び前板５４の上端部分、即ち収納部６の開口下縁には当該ショーケース１の幅方向に延びたハンドレール６０が設けられている。
図２に示すように、当該ハンドレール６０は、外側面部６２、上面部６４（傾斜面）、内側面部６６からなる下方に開口した略コの字状の断面形状をなしている。
【００２２】
詳しくは、外側面部６２は、下端が前板５４の上部と当接し、前方に僅かに湾曲しつつ上方へ延びた形状をなしている。
上面部６４は外側端である当該外側面部６２の上端から僅かに下方に傾斜して内側端である内側面部６６の上端へと延びた平面形状をなしている。つまり、当該上面部６４は外側端を最上位置として、内側に向かって下方に傾斜し、内側端が最下位置となる形状をなしている。なお、本実施形態における当該上面部６４は、例えば水平面に対して５°の角度で傾斜しており、内外方向に沿う面幅は７ｃｍとする。
【００２３】
内側面部６６は、上面部６４の内側端部から下方へと延び、下端部が吸気口部の前端と当接した形状をなしている。
つまり、当該ハンドレール６０は、前壁部１０及び前板５４の上端を覆うように設けられ、上面部６４がショーケース１の内側に傾斜した形状をなしている。
また、当該ハンドレール６０の素材はステンレス鋼であり、表面が鏡面仕上げされている。
【００２４】
なお、当該ハンドレール６０には商品名や価格等を表示した図示しない表示具が上面部６４に設けられている。当該表示具は、例えばハンドレール６０の上面に沿って当接して取り付けられる板状のものである。
以下このように構成された本発明に係るショーケースの作用について説明する。
当該ショーケース１のハンドレール６０の上面部６４は内側に傾斜しているため、ショーケース１の外側から見て当該上面部６４には収納部６側のものしか映り込むことはない。
【００２５】
例えば、図１、２に示すように、ハンドレール６０の鉛直上方にある視点Ａから当該ハンドレール６０を見た場合には、上面部６４の傾斜角度の関係から吹出口部４６部分が映し込まれていることとなる。詳しくは、上面部６４の垂直上方向（鎖線）は鉛直方向（実線）に対して傾斜角度（５°）分内側に傾斜しており、光の反射の関係（入射角＝反射角）から、上面部６４の垂直上方向に対してさらに傾斜角度（５°）分内側に傾斜させた線上にある吹出口部４６が当該上面部６４に映し込まれる。
【００２６】
このように、従来は表示具を顧客に視認しやすくするため等からショーケース外側に傾斜させた構成とするのが一般的であったのに対して、ハンドレール６０の上面部６４をショーケース１の内側に傾斜させた傾斜面のみで形成している。これにより、ハンドレール６０が鏡面状であってもショーケース１外側から見てショーケース１外側のものが映り込むことを防止することができる。したがって、女性客がショーケース１に近づいた際にスカート内部が映り込むことは確実に防止される。
【００２７】
また、当該ハンドレール６０は、前壁１０及び前板５４の上端を覆うように形成されており、内外方向の幅が所定幅以上と十分に確保されている。また、上面部６４は僅かに傾斜角度で傾斜した平面形状という簡素な形状である。
したがって、当該ハンドレール６０は十分な強度、設計やデザインの自由度、表示具の取り付け易さ、荷物を置いた際に当該荷物が滑り落ちることなく保持できる等、機能性を十分に確保することができる。
【００２８】
また、表示具を取り付ける面積も十分に確保されている上、傾斜角度は僅かであることからショーケース１の近くにいる顧客からは十分に当該表示具を視認することができる。一方、ショーケース１から離れた顧客からはショーケース１内側に傾斜している当該表示具は見えず、当該ハンドレール６０の見栄えを向上させることができる。
そして、当該ハンドレール６０の表面は、凹凸等なく鏡面仕上げされていることから外観が良く、ゴミ等が付着しにくい上、清掃も容易であり衛生的に優れている。
【００２９】
以上のように本発明に係るショーケースでは、機能性及び衛生面を確保しつつ、ハンドレール６０の上面部６４におけるショーケース１外側の映り込みを良好に防止することができる。
以上で本発明に係るショーケースの実施形態についての説明を終えるが、実施形態は上記実施形態に限られるものではない。
【００３０】
上記実施形態では、ハンドレール６０の上面部６４は内側に僅かに傾斜した平面状をなしているが、ハンドレールの構成はこれに限られるものではない。
例えば、変形例１として図３に示すハンドレール７０のように、外側面部７２の上端から内側且つ下方に向かって断面湾曲形状をなす構成であっても構わない。
詳しくは、当該ハンドレール７０の外側面部７２は、下端が前板５４’と当接し、そこから上方へと延びた平面形状をなしている。上面部７４は外側面部７２の上端から内側且つ下方に向かって接線が徐々に傾斜し、接線と水平面との角度が徐々に増加する湾曲形状をなしている。
【００３１】
このように構成された変形例１も、ショーケース１外側から見て当該上面部７４には収納部側しか映り込むことはなく、上記実施形態と同様の効果を奏することができる。
さらに、変形例２として図４に示すハンドレール６０’’のように、上面部６４’’を、内側に傾斜した第１面部６４ａ’’（傾斜面）、及び外側縁部分において外側に傾斜した第２面部６４ｂ’’（他の面）から構成された形状としても構わない。
【００３２】
詳しくは、当該第２の傾斜面６４ｂ’’は、内外方向に沿う面幅が２ｃｍであり、２ｃｍ以下の狭い幅であれば、ショーケース１外側から当該第２の傾斜面６４ｂ’’を見たとしても顧客は何が映り込んでいるかを正確には認識することはできず、実質的な映り込みは防止される。
したがって、当該変形例２においても、女性客が当該ショーケースに近づいた際のスカート内部の映り込みを防止することができ、上記実施形態と同様の効果を奏することができる。
【００３３】
なお、当該変形例２では、第２面部６４’’は外側に傾斜した傾斜面であったが、当該第２面部を内外方向に沿う面幅が２ｃｍ以下の水平面としても構わない。また、第２面部６４’’は上面部６４’’の外側縁部分に形成されているが、例えば上面部６４’’の内側縁部分に内外方向に沿う面幅が２ｃｍ以下の水平な第３面部を形成しても構わない。
また、上記実施形態では、上面部６４の傾斜角度を５°としているが、当該上面部６４の傾斜角度はこれに限られるものではなく、ショーケース外側から見たときのショーケースの外側の映り込みを確実に防止することができるとともに当該上面部に安定して荷物を置くことのできる角度として３°〜１５°が好ましい。
【００３４】
また、上記実施形態では、前方にのみ開口した収納部６を有したショーケース１であるが、ショーケースはこれに限られるものではなく、例えば収納部が前方及び両側方、即ち水平方向三方に開口したショーケースや、収納部が上方に開口した所謂平型ショーケース等であっても構わない。
【図面の簡単な説明】
【００３５】
【図１】本発明に係るショーケースの縦断面図である。
【図２】図１の要部拡大図である。
【図３】ハンドレールの変形例１を示した図である。
【図４】ハンドレールの変形例２を示した図である。
【符号の説明】
【００３６】
１  ショーケース
４  ケース本体
６  収納部
８  商品棚
１０  前壁部
６０、７０  ハンドレール
６２、７２  外側面部
６４、７４  上面部（傾斜面）
６６  内側面部
【図１】
0004876045.tif 000002
【図２】
0004876045.tif 000003
【図３】
0004876045.tif 000004
【図４】
0004876045.tif 000005